(57)【要約】      （修正有）【課題】乱射効果が高く全体の価値観が高められた照明装置の提供。【解決手段】下ランプシート１、光源２、プリズム手段３、上ランプシート４、第１カバー５で組成され、下ランプシートと上ランプシートの組成する本体の内側周囲に複数の凸体１１，４１が形成され、下ランプシートの内側底端に光源が設置され、プリズム手段が光源上方に設置され、該プリズム手段は上、下ランプシートが共同で固定し、第１カバーは上ランプシートの上方に固定され、第１カバーの上方周囲に複数の切削面５１が環状に設けられ、光源点灯時、或いは光源未点灯時に周辺の入射光が入射すると、上、下ランプシート内側周面の凸体、プリズム手段及び第１カバーの複数の切削面により、光線が複数回反射、屈折されて白光内に含まれる異なる周波数の光線が析出されて異なる色の光を発生し、プリズム手段の発射する色光が第１カバーの複数の切削面を通り異なる角度の透視効果を発生する。【選択図】図４
0003106122.tif 000002
【実用新案登録請求の範囲】
【請求項１】
下ランプシート、光源、プリズム手段、上ランプシート、第１カバーで組成され、
下ランプシートはその内側周面に複数の凸体が設けられ、且つ底端に貫通孔が設けられ、
光源は、下ランプシートの穿孔より下ランプシートの内底端に組み付けられ、
プリズム手段は、光源上方に設置され、透明体であり、上方周囲に複数の切削面が形成され、下方は中央に向けて延伸並びに収束され、且つ環周に複数の切削面が設けられ、
上ランプシートは、下ランプシートの上方に固定され、且つ組合せ後に下ランプシートと共同でプリズム手段を限位し、別に上ランプシートの内側周面に複数の凸体が形成され、
第１ランプカバーは、透明体であり、上ランプシートの上方に固定され、上方周囲に環状に複数の切削面が形成されたことを特徴とする、照明装置。
【請求項２】
請求項１記載の照明装置において、上ランプシートの内側上方に第１当接部が設けられ、第１ランプカバーを支持し、上ランプシートの上端に第２当接部が設けられて第２ランプカバーを支持し、第２ランプカバーが透明体とされ、その上方周囲に環状に複数の切削面が設けられたことを特徴とする、照明装置。
【請求項３】
請求項１記載の照明装置において、下ランプシートの内側に上向きに複数の支柱が形成されてプリズム手段がこの複数の支柱の間に支持されて光源上方に位置決めされ、且つ上ランプシート底端に横向きに複数の押さえ柱が形成されて上ランプシートが下ランプシート上方に組み付けられる時、押さえ柱によりプリズム手段の上方が押さえられることを特徴とする、照明装置。
【請求項４】
請求項１記載の照明装置において、係止シートが組み合わされ、該係止シートが弾性を具えた環状体とされ、その一端が挿入端とされ、別端が圧接端とされ、圧接端部分に外向きに圧接部が凸設され、下ランプシートの外底縁にフランジが凸設され、上ランプシートの上周囲に外向きに延伸されたリップが設けられ、係止シートは上、下ランプシートと組み合わされた後に、上、下ランプシートの外側を包囲し、且つその圧接端が下ランプシートのフランジの限位を受け、挿入端が上ランプシートのリップの限位を受け、且つ照明装置に係止シートが組み合わされた後に取り付け部分の取り付け孔に取り付けられ、圧接部が取り付け部分の取り付け孔の側端を圧迫し、且つ取り付け部分の側端が挿入端とリップの間に係止されて取り付けが完成することを特徴とする、照明装置。
【考案の詳細な説明】
【技術分野】
【０００１】
本考案は一種の照明装置に係り、特に、照明装置内に複数の凸体、プリズム手段、及び第１カバーの複数の切削面が設けられて、照明装置の輝度と価値観が増された照明装置に関する。
【背景技術】
【０００２】
照明装置、特に車両のサイドランプ、或いは装飾用の投射ランプは、一般の構造がランプケース１０、ランプカバー２０及び光源３０で組成され（図１のとおり）、光源３０はランプケース１０内部に組付けられ、ランプカバー２０はランプケース１０の前端に固定される。更に、ランプ光の変化、照射角度或いは集光効果を増すため、照明装置には通常、ランプケース１０の内側周囲に複数の小平面１０１（図１）が形成されるか、複数の凸面１０２（図２）が形成されるか、或いは透明なランプカバー２０の内側面に複数の波状凸面２０１（図２、３）が形成され、これにより光線変化の効果を達成している。ただしこのような照明装置は、昔から市場にあり、且つ変化があまりなく、次第に市場で淘汰され、且つ消費者、メーカーは往々にして新奇な照明装置を好み、それは一方で新しさを押し出し、また一方で取付物（例えば車両）の価値を高めることができるため、消費者の購入意欲を刺激する。このため、周知の照明装置は改良の必要がある。
【考案の開示】
【考案が解決しようとする課題】
【０００３】
本考案者はダイヤモンドが純潔で傷のない質感と貴重性を有し、その透明体に彫刻が施されて複数の切削面が光線を反射、屈折することにより、人に与える視覚効果に注目し、それを照明装置に転用し、照明装置にまばゆい乱射効果を現出させることを思い立った。ゆえに、本考案の重点は、ダイヤモンドが彫刻後に現出する視覚効果を照明装置に応用して照明装置の光に理想的な効果を達成させて照明装置の質感を高めることにある。
【０００４】
このため、本考案は、一種の照明装置を提供することを目的とし、それは、下ランプシート、光源、プリズム手段、上ランプシート、第１カバーで組成され、下ランプシートと上ランプシートの組成する本体の内側周囲に複数の凸体が形成され、該凸体はダイアモンド形態とされ、下ランプシートの内側底端に光源が設置され、彫刻後のダイアモンドのような形態のプリズム手段が光源上方に設置され、該プリズム手段は上、下ランプシートが共同で固定し、別に第１カバーが上ランプシートの上方に固定され、第１カバーの上方周囲に複数の切削面が環状に設けられている。これにより、上、下ランプシートの内側周面の複数の凸体、プリズム手段、及び第１カバーの複数の切削面により、光線が複数回反射、屈折されて白光内に含まれる異なる周波数の光線が析出されて異なる色の光を発生し、且つプリズム手段の発射する色光が第１カバーの複数の切削面を通り異なる角度の透視効果を発生することで、きらめいて人目をひく視覚上の効果を形成し、照明装置の輝度を高め、全体の価値観を高める。
【０００５】
このため、本考案は、一種の照明装置を提供することを目的とし、それは、各種の照明装置に実施可能であり、主体を構成する上、下ランプシートの内側囲に複数の凸体が形成され、且つ上、下ランプシート及び光源の上方に彫刻後のダイアモンドのような形態のプリズム手段が固定され、また第１ランプカバーに複数の切削面が設けられ、光源点灯時或いは光源未点灯時に周辺の入射光が入射する時、光線が複数回、反射、屈折されて白光内に含まれる異なる周波数の光が析出され、異なる色の光を発生し、且つプリズム手段の発生する色光が第１ランプカバーの複数の切削面を通して異なる角度の透視効果を発生し、視覚上、乱射により人目をひき、照明輝度を増す長所を達成するものとする。
【課題を解決するための手段】
【０００６】
請求項１の考案は、下ランプシート、光源、プリズム手段、上ランプシート、第１カバーで組成され、
下ランプシートはその内側周面に複数の凸体が設けられ、且つ底端に貫通孔が設けられ、
光源は、下ランプシートの穿孔より下ランプシートの内底端に組み付けられ、
プリズム手段は、光源上方に設置され、透明体であり、上方周囲に複数の切削面が形成され、下方は中央に向けて延伸並びに収束され、且つ環周に複数の切削面が設けられ、
上ランプシートは、下ランプシートの上方に固定され、且つ組合せ後に下ランプシートと共同でプリズム手段を限位し、別に上ランプシートの内側周面に複数の凸体が形成され、
第１ランプカバーは、透明体であり、上ランプシートの上方に固定され、上方周囲に環状に複数の切削面が形成されたことを特徴とする、照明装置としている。
請求項２の考案は、請求項１記載の照明装置において、上ランプシートの内側上方に第１当接部が設けられ、第１ランプカバーを支持し、上ランプシートの上端に第２当接部が設けられて第２ランプカバーを支持し、第２ランプカバーが透明体とされ、その上方周囲に環状に複数の切削面が設けられたことを特徴とする、照明装置としている。
請求項３の考案は、請求項１記載の照明装置において、下ランプシートの内側に上向きに複数の支柱が形成されてプリズム手段がこの複数の支柱の間に支持されて光源上方に位置決めされ、且つ上ランプシート底端に横向きに複数の押さえ柱が形成されて上ランプシートが下ランプシート上方に組み付けられる時、押さえ柱によりプリズム手段の上方が押さえられることを特徴とする、照明装置としている。
請求項４の考案は、請求項１記載の照明装置において、係止シートが組み合わされ、該係止シートが弾性を具えた環状体とされ、その一端が挿入端とされ、別端が圧接端とされ、圧接端部分に外向きに圧接部が凸設され、下ランプシートの外底縁にフランジが凸設され、上ランプシートの上周囲に外向きに延伸されたリップが設けられ、係止シートは上、下ランプシートと組み合わされた後に、上、下ランプシートの外側を包囲し、且つその圧接端が下ランプシートのフランジの限位を受け、挿入端が上ランプシートのリップの限位を受け、且つ照明装置に係止シートが組み合わされた後に取り付け部分の取り付け孔に取り付けられ、圧接部が取り付け部分の取り付け孔の側端を圧迫し、且つ取り付け部分の側端が挿入端とリップの間に係止されて取り付けが完成することを特徴とする、照明装置としている。
【考案の効果】
【０００７】
本考案の照明装置は、下ランプシート、光源、プリズム手段、上ランプシート、第１カバーで組成され、下ランプシートと上ランプシートの組成する本体の内側周囲に複数の凸体が形成され、該凸体はダイアモンド形態とされ、下ランプシートの内側底端に光源が設置され、彫刻後のダイアモンドのような形態のプリズム手段が光源上方に設置され、該プリズム手段は上、下ランプシートが共同で固定し、別に第１カバーが上ランプシートの上方に固定され、第１カバーの上方周囲に複数の切削面が環状に設けられている。これにより、上、下ランプシートの内側周面の複数の凸体、プリズム手段、及び第１カバーの複数の切削面により、光線が複数回反射、屈折されて白光内に含まれる異なる周波数の光線が析出されて異なる色の光を発生し、且つプリズム手段の発射する色光が第１カバーの複数の切削面を通り異なる角度の透視効果を発生することで、きらめいて人目をひく視覚上の効果を形成し、照明装置の輝度を高め、全体の価値観を高める。
【考案を実施するための最良の形態】
【０００８】
図４に示されるように、本考案の照明装置は、少なくとも、下ランプシート１、光源２、プリズム手段３、上ランプシート４、及び第１ランプカバー５を具えている。
【０００９】
該下ランプシート１は、その内側面に複数の凸体１１が設けられ、凸体１１はダイヤモンド形体とされ、下ランプシート１の底端に穿孔１２が設けられている。
【００１０】
該光源２は、ＬＥＤランプ或いは一般のバルブとされ（図示される実施例ではＬＥＤランプとされている）、その光源線２１は下ランプシート１の穿孔１２を通されて光源２が下ランプシート１の内底端に取り付けられる（図５）。
【００１１】
該プリズム手段３は、透明体とされ、光源２の上方に設置され、光源２の光に対する反射、屈折効果を増し、その上方周囲に複数の切削面３１が環状に設けられ、切削面３１は三角形或いは四角形とされ、下方は中央に向けて収束され、且つ周囲に複数の切削斜面３２が設けられ、彫刻後のダイヤモンドのような形態とされる。
【００１２】
上ランプシート４は、下ランプシート１の上方に固定され、上、下ランプシート４、１が照明装置の本体を構成し、且つ組合せ後に下ランプシート１と共同でプリズム手段３を固定し、別に内側周面に複数の凸体４１が形成されている。そのうち、共同でプリズム手段３を限位固定する構造は下ランプシート１の内側に上向きに形成された支柱１３とされ得て、該支柱１３の間にプリズム手段３が支持されて光源２の上方に設置される（図４、５）。上ランプシート４の底端には横向きに複数の押さえ柱４２が形成され、下ランプシート１と組み付けられる時、押さえ柱４２がプリズム手段３の上方を押さえる（図５、６）。
【００１３】
該第１ランプカバー５は透明体とされ、それは上ランプシート４の上方に固定され、固定方式に制限はなく、接着、挿入、係止のいずれでもよく（当然、挿入或いは係止とされる場合、第１ランプカバー５は挿入端或いは係止端を具え、上ランプシート４には対応する挿入孔或いは係止孔が設けられる）、且つ第１ランプカバー５の上方周囲に複数の切削面５１が設けられる。上ランプシート４に第１ランプカバー５を組み付ける構造は上ランプシート４の内側上方に第１当接部４３（図４、５）が設けられて第１ランプカバー５の支持に供される。このほか、上ランプシート４の上端に更に第２当接部４４が設けられ（図７、８）、第２ランプカバー６の支持固定に供され、且つ第２ランプカバー６は透明体とされ、その上方周囲に複数の切削面６１が環状に配設され、２層のランプカバーにより、更にその光線の反射、屈折効果が増されている。
【００１４】
以上の構造により、光源２が点灯する時（図５）、上、下ランプシート４、１内側周面の複数の凸体４１、１１、プリズム手段３の複数の切削面３１、複数の切削斜面３２及び第１ランプカバー５の複数の切削面５１により、光源の発生する光線が複数回の反射、屈折を経て乱射光線とされて発射され、照明装置の輝度が高められる。当然、第２ランプカバー６を増設すると（図７）、更にその乱射程度が増し、全体の価値観が高まる。更に光源２が点灯し且つ白光を発射する時、或いは光源２が未点灯であるが外界の光線が入射する時（正常な光度下、例えば日中、或いは夜間の点灯時）、上、下ランプシート４、１内側周面の複数の凸体４１、１１、プリズム手段３の複数の切削面３１、及び第１ランプカバー５（第２ランプカバー６）の複数の切削面５１（複数の切削面６１）により、光線が複数回、反射、屈折され、白光に含まれる異なる周波数の光が異なる媒体中での屈折率はいずれも異なるため、白光内に含まれる異なる周波数の光線が析出され、異なる周波数の光が人の目に入った後に、人は異なる色の光を感じるため、照明装置の光線の乱射程度が増し、価値観が増す。ゆえに、本考案は自動車のランプ、投射ランプ、装飾ランプのいずれに応用されても、精緻感を高めることができ、照明装置の産業において革新的な考案であり、技術の向上に対して具体的な貢献を果たす。
【００１５】
このほか、図９に示されるように、本考案が例えば天井に取り付けられて実施される時、或いは自動車のサイドランプとして実施される時、係止シート７が組み合わされ、係止シート７は弾性を具えた部品とされて、ゴム或いはプラスチックで製造され、それは上、下ランプシート４、１が構成する本体の形状に対応する環状体に設けられ、係止シート７の一端は挿入端７１とされ、別端は圧接端７２とされ、挿入端７１部分に圧接部７３が外向きに凸設され、下ランプシート１の外底縁にフランジ１４が凸設され、上ランプシート４の上周囲に外向きに延伸されたリップ４５が設けられ、係止シート７は上、下ランプシート４、１と組み合わされた後に、上、下ランプシート４、１の外側を包囲し、且つその圧接端７２が下ランプシート１のフランジ１４の限位を受ける。且つ取り付け後に図１０のように（図には天井に取り付けられた投射ランプの実施例が示され、取り付け部分はすなわち天井とされる）、照明装置に係止シート７が組み合わされた後、取り付け部分８の取り付け孔８１に上から下に挿入され、圧接部７３が取り付け部分８の取り付け孔８１の側端８２を圧迫し、取り付け部分８の側端８２が挿入端７１とリップ４５の間を係止し、このとき緊密で強固な取り付けが完成する（図１０）。
【００１６】
以上の説明からわかるように、本考案は周知の物品の単調で変化がなく、質感が不足する欠点を改善し、産業上の技術の向上を達成し、製品の市場での競争力を高める。
【図面の簡単な説明】
【００１７】
【図１】周知の照明装置の立体図である。
【図２】第２種の周知の照明装置の立体図である（そのうち光源は図示されていない）。
【図３】第３種の周知の照明装置の立体図である（そのうち光源は図示されていない）。
【図４】本考案の立体分解図である。
【図５】本考案の組合せ断面図である。
【図６】本考案の組合せ立体図である。
【図７】本考案の別の実施例の立体分解図である。
【図８】図７の組合せ断面図である。
【図９】本考案の係止シートを組み合わせた実施例の立体分解図である。
【図１０】図９の組合せ及び取り付け動作を示す断面図である。
【符号の説明】
【００１８】
１０  ランプケース                １０１  小平面
１０２  凸面                      ２０  ランプカバー
２０１  波状凸面                  ３０  光源
１  下ランプシート                １１  凸体
１２  穿孔                        １３  支柱
１４  フランジ                    ２  光源
２１  光源線                      ３  プリズム手段
３１  切削面                      ３２  切削斜面
４  上ランプシート                ４１  凸体
４２  押さえ柱                    ４３  第１当接部
４４  第２当接部                  ４５  リップ
５  第１ランプカバー              ５１  切削面
６  第２ランプカバー              ６１  切削面
７  係止シート                    ７１  挿入端
７２  圧接端                      ７３  圧接部
８  取り付け部分                  ８１  取り付け孔
８２  側端
【図１】
0003106122.tif 000003
【図２】
0003106122.tif 000004
【図３】
0003106122.tif 000005
【図４】
0003106122.tif 000006
【図５】
0003106122.tif 000007
【図６】
0003106122.tif 000008
【図７】
0003106122.tif 000009
【図８】
0003106122.tif 000010
【図９】
0003106122.tif 000011
【図１０】
0003106122.tif 000012